(57)【特許請求の範囲】
【請求項１】
電気的な直列端子であって、ベース端子（２）と接続コネクタ（３，４）とが設けられており、ベース端子（２）が、端子ケーシング（７）と、該端子ケーシング（７）内に配置された少なくとも１つの導体接続エレメント（８，９）と、１つまたはそれ以上の導体接続エレメント（８，９）に電気的に接続された、端子ケーシング（７）の片側に配置された少なくとも２つの差込み箇所とを有しており、接続コネクタ（３，４）が、コネクタケーシング（１３，１４）と、該コネクタケーシング（１３，１４）内に配置された少なくとも１つの導体接続エレメント（１５）と、１つまたはそれ以上の導体接続エレメント（１５）に電気的に接続された１つの差込みコンタクトとを有しており、接続コネクタ（３，４）が、別個の固定エレメントによってベース端子（２）の端子ケーシング（７）に機械的に結合されている形式のものにおいて、ベース端子（２）の端子ケーシング（７）に両差込み箇所の間でロック縦孔（１９）が設けられており、これによって、接続コネクタ（３）が、外側の差込み箇所に差し被せられている場合に、固定エレメントを用いて端子ケーシング（７）の端面に固定されているかまたは接続コネクタ（４）が、内側の差込み箇所に差し被せられている場合に、固定エレメントを用いてロック縦孔（１９）の内部に固定されていることにより、接続コネクタ（３，４）が、両差込み箇所でベース端子（２）の端子ケーシング（７）に機械的に結合可能であることを特徴とする、電気的な直列端子。
【発明の詳細な説明】
【０００１】
【発明の属する技術分野】
本発明は、特に支持レールに係止するための電気的な直列端子であって、ベース端子と接続コネクタとが設けられており、ベース端子が、端子ケーシングと、該端子ケーシング内に配置された少なくとも１つの導体接続エレメントと、１つまたはそれ以上の導体接続エレメントに電気的に接続された、端子ケーシングの片側に配置された少なくとも２つの差込み箇所とを有しており、接続コネクタが、コネクタケーシングと、該コネクタケーシング内に配置された少なくとも１つの導体接続エレメントと、１つまたはそれ以上の導体接続エレメントに電気的に接続された１つの差込みコンタクトとを有しており、接続コネクタが、別個の固定エレメントによってベース端子の端子ケーシングに機械的に結合されている形式のものに関する。この場合、端子ケーシングとコネクタケーシングとは、有利には絶縁物から成っている。
【０００２】
【従来の技術】
このような形式の電気的な直列端子は、ドイツ連邦共和国実用新案第２９５１４７１１号明細書に基づき公知である。この場合、一般的に、ベース端子は支持レールに係止されるので、ベース端子は電気的な直列端子の、定置の部分を成している。これに対して、接続コネクタは電気的な直列端子の、位置可変な部分を形成している。なぜならば、この接続コネクタはその差込みコンタクトによって簡単に、ベース端子の、対応する差込み箇所に差し被せることができるかもしくはこの差込み箇所から再び引き抜くことができるからである。ベース端子もしくはこのベース端子内に配置された導体接続エレメントには電気的な供給線路が接続されるのに対して、接続コネクタ内の導体接続エレメントには、個々の消費器の電気的な線路が接続される。この場合、一般的に、電気的な直列端子は板状に形成されている。たいてい、この電気的な直列端子は、複数の別の電気的な直列端子とまとめられて、１つの直列端子ブロックを形成している。この場合、このような形式の公知の電気的な直列端子では、個々の消費器の電気的な導体が、対応する数の接続コネクタに接続されることによって、配線作業ひいては組付け手間も減少させることが可能となる。次いで、１つの接続コネクタブロックにまとめることができる複数の接続コネクタは、１つのベース端子ブロックに差し込まれさえすればよい。この場合、このベース端子ブロックは、対応する数のベース端子から形成されている。
【０００３】
いま、前記ドイツ連邦共和国実用新案第２９５１４７１１号明細書に基づき公知の電気的な直列端子には、ベース端子が確かに２つの差込み箇所を有しているが、接続コネクタは両差込み箇所のうちの外側の差込み箇所にしか差し被せることができないという欠点がある。なぜならば、接続コネクタとベース端子とを確実に機械的に結合するための固定エレメントが接続コネクタの端面に固定されていて、ベース端子の端面に設けられたケーシング突出部に背後から係合しているからである。公知の電気的な直列端子は２つの導体接続エレメントをベース端子内に有しているので、２つの供給線路を電気的な直列端子の、定置の側に接続することもできる。いま、直列端子の、位置可変な他方の側にも２つの電気的な線路を接続することができるようにするために、接続コネクタも２つの導体接続エレメントを有している。しかし、２つの導体接続エレメントを接続コネクタ内に配置することによって、この接続コネクタは、ベース端子の、内側に位置する第２の差込み箇所が接続コネクタのコネクタケーシングによって覆われ、ひいてはもはや接近不能となる程に広幅に寸法設定されている。これによって、２つの導体接続エレメントをベース端子内に配置することにより入力側で提案される、２つの電位を電気的な直列端子に接続するという可能性が、ただ１つの差込み箇所しか使用することができないという理由で、出力側ではもはや使用することができないというさらなる欠点が得られる。
【０００４】
【発明が解決しようとする課題】
したがって、本発明の課題は、冒頭で述べた形式の電気的な直列端子を改良して、ベース端子の両差込み箇所が、１つの接続コネクタを差し被せるために使用することができるようにすることである。ただし、この場合、両差込み箇所において、接続コネクタとベース端子との解離可能な機械的な固定が提供されていなければならない。
【０００５】
【課題を解決するための手段】
この課題を解決するために本発明の構成では、ベース端子の端子ケーシングに両差込み箇所の間でロック縦孔が設けられており、これによって、接続コネクタが、固定エレメントを用いて端子ケーシングの端面にまたはロック縦孔の内部に固定されていることにより、接続コネクタが、両差込み箇所でベース端子の端子ケーシングに機械的に結合可能であるようにした。
【０００６】
【発明の効果】
本発明によれば、ロック縦孔をベース端子に形成することによって、固定エレメントがベース端子の端子ケーシングに側方で係止できることにより、接続コネクタを外側の差込み箇所に被せることがもはや不要となる。
【０００７】
有利には、電気的な直列端子は、接続コネクタが一方の差込み箇所に選択的に差被せ可能であるだけでなく、両差込み箇所に同時にそれぞれ１つの接続コネクタが差被せ可能であり、両接続コネクタが、ベース端子の端子ケーシングに機械的に結合可能であるように形成されている。互いに異なる２つの電位が電気的な供給線路を介して接続されている２つの導体接続エレメントをベース端子が有していると、両差込み箇所にそれぞれ１つの接続コネクタが差被せ可能であることによって、両電位を電気的な直列端子の消費器側に伝送することができる。
【０００８】
両接続コネクタが個々にどのように形成されているのかということ、すなわち、特に接続コネクタ内に単数の導体接続エレメントが配置されているのかまたは複数の導体接続エレメントが配置されているのかということは、主として、ベース端子の、提供される空間ひいては長さに関連している。空間不足はないものの、可能な限り多くの電気的な線路を電気的な直列端子に接続できるようにしたい使用事例では、両接続コネクタ内に２つまたはそれ以上の導体接続エレメントを配置することもできる。しかし、一般的には、提供される空間は制限されている。なぜならば、電気的な直列端子は、たとえば配電盤キャビネット内に収納できるようになっているからである。この場合、外側の差込み箇所に差し被せられた接続コネクタが、ただ１つの導体接続エレメントを有しているのに対して、内側の差込み箇所に差し被せられた接続コネクタが、２つの導体接続エレメントを有することができると有利である。
【０００９】
前記ドイツ連邦共和国実用新案第２９５１４７１１号明細書に基づき公知の電気的な直列端子では、接続コネクタが、ばね弾性的な係止アームによってベース端子の端子ケーシングに機械的に係止可能である。このためには、係止アームがその下側の端部に係止フックを有している。この係止フックは、ベース端子の端子ケーシングに設けられた対応するケーシング突出部に係合することができる。接続コネクタをベース端子から再び解離するために、ねじ回しの尖端部によって係止フックとケーシング突出部との係止が解離されなければならない。このためには、固定エレメントに設けられた係止フックの領域に、ねじ回しの尖端部を差し込むためのポケットが設けられている。したがって、このポケットは固定エレメントの下側の端部にも配置されていて、ひいては、オペレータ側からは極めて困難にしか接近することができない。このことは、特に電気的な直列端子が、たとえば配電盤キャビネット内に配置されており、直列端子と、配電盤キャビネットの、対応する側壁との間に極めて僅かしか空間が提供されていない場合に問題となり得る。
【００１０】
いま、本発明による電気的な直列端子の有利な構成によれば、ベース端子からの接続コネクタの解離は、固定エレメントが、グリップ区分と、係止フックと、ばねエレメントとを備えたばね弾性的な係止アームとして形成されており、この係止アームが、接続コネクタのコネクタケーシングに旋回可能に支承されており、ばねエレメントが、支承点の上方に配置されていることによって特に簡単に操作可能となる。いま、固定エレメントをこのような形式で形成することによって、２つの利点が互いに独立して得られる。固定エレメントが、ばね弾性的な係止アームとして接続コネクタのコネクタケーシングに旋回可能に支承されていて、一方の端部にグリップ区分をかつ他方の端部に係止フックを有していることによって、係止アームの操作は、オペレータ側から容易に接近可能なグリップ区分を介してのみ可能となる。したがって、接続コネクタの解離は、グリップ区分を指で操作することによって簡単に行うことができる。補助手段の使用は不要となる。ばね弾性的な係止アームに付加的にばねエレメントが形成されていることによって、グリップ区分が操作されていない場合には、係止アームは、ロックされた箇所で常に保持されるようになっている。
【００１１】
本発明による電気的な直列端子の別の有利な構成によれば、固定エレメントが、引張り負荷軽減エレメントに結合されており、この引張り負荷軽減エレメントに、接続コネクタに接続された電気的な導体が固定可能である。したがって、固定エレメントがこのような形式で形成されている場合には、この固定エレメントは、接続コネクタとベース端子との機械的な係止もしくは結合の機能を引き受けるだけでなく、さらに、接続コネクタに接続された電気的な線路のための引張り負荷軽減手段としても働く。
【００１２】
いま、本発明による電気的な直列端子および特に固定エレメントの改良形の多数の可能性が個々に存在している。このことは、従属請求項ならびに図面に関連した有利な実施例の説明に示してある。
【００１３】
【発明の実施の形態】
以下に、本発明の実施の形態を図面につき詳しく説明する。
【００１４】
図１には、ベース端子２と２つの接続コネクタ３，４とを備えた電気的な直列端子１の構成が示してある。この場合、ベース端子２は電気的な直列端子１の、定置の部分を形成してるのに対して、この限りにおいて、接続コネクタ３，４は電気的な直列端子１の、位置可変な部分と呼ぶことができる。つまり、接続コネクタ３，４はベース端子２に差し込むことができる。ベース端子２は支持レール（図示せず）に係止することができる。このためには、ベース端子２の基部５に、対応する係止エレメント６が形成されている。
【００１５】
ベース端子２は、絶縁物から成る端子ケーシング７と、この端子ケーシング７内に配置された２つの導体接続エレメント８，９とを有している。ここでは引張りばね端子として形成されているが、ねじ端子として形成されていてもよいし、圧接端子（Ｓｃｈｎｅｉｄａｎｓｃｈｌｕｓｓｋｌｅｍｍｅ）として形成されていてもよい導体接続エレメント８，９は、電流バー１０，１１を介してそれぞれ１つの差込み箇所に電気的に接続されている。板状のベース端子２は、端子ケーシング７に配置された係止ピン１２によって別のベース端子２とまとめられて、１つのベース端子ブロックを形成することができる。
【００１６】
接続コネクタ３，４は、絶縁物から成るコネクタケーシング１３，１４から成っている。この場合、接続コネクタ３では、１つの導体接続エレメント１５がコネクタケーシング１３内に配置されており、接続コネクタ４では、２つの導体接続エレメント１５がコネクタケーシング１４内に配置されている。電気的な直列端子１の図示の構成では、接続コネクタ３，４の導体接続エレメント１５も引張りばね端子として形成されている。導体接続エレメント１５は電流バー１６を介してそれぞれ１つの差込みコンタクトに電気的に接続されている。各接続コネクタ３，４はただ１つの差込みコンタクトしか有していないので、接続コネクタ４では、両導体接続エレメント１５は１つの共通の電流バー１６を介して差込みコンタクトに接続されている。
【００１７】
図１および図３に示した両実施例では、ベース端子２の両差込み箇所はコネクタピン１７によって実現され、接続コネクタ３，４の差込みコンタクトは、コネクタピン１７に対応するコネクタブシュ１８によって実現される。また、差込み箇所がコネクタブ縦孔して形成されており、この場合、差込みコンタクトが相応にコネクタピンとして形成されていてもよい。接続コネクタ３，４をベース端子２に迅速にかつ簡単に差し被せることができることによって、電気的な直列端子１への個々の消費器の接続が簡単になる。このためには、１つの消費器の電気的な線路が接続コネクタ３，４に接続されるかもしくは接続コネクタブロックにまとめられている複数の接続コネクタ３，４に接続される。この場合、使用開始のためには、接続コネクタ３，４もしくは接続コネクタブロックがベース端子２もしくは相応のベース端子ブロックに差し被せられさえすればよい。エネルギ供給は、ベース端子２の導体接続エレメント８，９への相応の供給線路の接続によって行われる。
【００１８】
ベース端子２からの接続コネクタ３，４の不本意な解離を阻止するために、接続コネクタ３，４は固定エレメントによってベース端子２の端子ケーシング７に機械的に結合することができる。本発明による電気的な直列端子１では、ベース端子２の端子ケーシング７にロック縦孔１９が設けられている。この場合、このロック縦孔１９は両差込み箇所の間で端子ケーシング７に配置されている。このロック縦孔１９の形成によって、外側に位置する接続コネクタ３を端子ケーシング７の端面に固定エレメントによって固定することができるだけでなく、内側の接続コネクタ４をロック縦孔１９の内部で固定エレメントによって固定することもできる。
【００１９】
本発明による電気的な直列端子１の図示の実施例では、固定エレメントが、ばね弾性的な係止アーム２０として形成されている。この係止アーム２０は、上側の端部にグリップ区分２１を有していて、下側の端部に係止フック２２を有しており、さらに、中間領域にばねエレメント２３を有している。係止アーム２０は接続コネクタ３，４のコネクタケーシング１３，１４に支承されている。このためには、係止アーム２０が支承エレメント２４を有しており、接続コネクタ３，４のコネクタケーシング１３，１４が、対応する支承切欠き２５を有している。
【００２０】
図１に示したように、接続コネクタ３，４とベース端子２との相応の構成では、それぞれ１つの接続コネクタ３，４が両差込み箇所に同時に差被せ可能であり、この場合、両接続コネクタ３，４は係止アーム２０によってベース端子２の端子ケーシング７に機械的に結合可能でもある。この場合、図１および図３に示したベース端子２は、内側の接続コネクタ４が大きな構造ひいては２つの導体接続エレメント１５も有することができるのに対して、外側の接続コネクタ３は、狭幅の構造を有していて、ひいてはただ１つの導体接続エレメント１５しか有することができないように形成されている。外側の接続コネクタ３も２つの導体接続エレメント１５を有している場合には、この場合により大きな接続コネクタ３がロック縦孔１９と第２の差込み箇所とを覆わないようにすると、相応により長いベース端子２が使用されなければならない。
【００２１】
係止アーム２０の上側の端部に設けられたグリップ区分２１の、実現された配置形式（この場合、グリップ区分２１は接続コネクタ３，４の上側の端部２６を越えて張り出している）によって、係止アーム２０を手によって容易に操作することができ、したがって、接続コネクタ３，４をベース端子２から解離することができる。このことは、電気的な直列端子１が、たとえば配電盤キャビネット内に配置されており、電気的な直列端子１の端面と、配電盤キャビネットのキャビネット壁との間に極めて僅かしか自由空間が存在していない場合に特に有利である。グリップ区分２１を指で押圧することにより係止アーム２０を簡単に操作することができることによって、接続コネクタ３，４を解離するために付加的な工具は不要となる。ばねエレメント２３を係止アーム２０の支承エレメント２４の上方に配置しかつ形成することによって、係止アーム２０の操作されていない状態では、係止フック２２が、端子ケーシング７に設けられた対応するケーシング突出部２７に背後から係合していて、これによって、接続コネクタ３，４がベース端子２に係止されていることが保証されている。
【００２２】
図１および図２から明らかに分かるように、係止アーム２０のグリップ区分２１は凹設部２８を有している。ここでは、この凹設部２８は、専ら係止アーム２０のグリップ区分２１を操作する場合のグリップ補助手段および滑り防止手段として形成されていてもよいし、銘板のための取付け部として使用されてもよい。このような形式の銘板（図示せず）によって、複数の電気的な直列端子１から形成された１つの直列端子ブロックでは、個々の接続コネクタ３，４を、直列端子ブロックに接続された消費器に容易に対応配置することができる。図１および図２から同じく見ることができるように、係止アーム２０は支承エレメント２４によって、接続コネクタ３，４のコネクタケーシング１３，１４の、対応する支承切欠き２５内に容易に係止することができる。これによって、接続コネクタ３，４もしくはコネクタケーシング１３，１４の製造だけでなく係止アーム２０の製造も容易になる。さらに、こうして、欠陥のある係止アーム２０は、接続コネクタ３，４全体を交換する必要なしに容易にかつ簡単に交換することができる。係止アーム２０を種々異なる接続コネクタ３，４のために選択的に使用することもできるので、１つの直列端子ブロックでは、係止アーム２０は接続コネクタ３，４ほど必要にならない。
【００２３】
図２には、互いに異なる幅を備えた係止アーム２０の２つの構成が示してある。図２ａに示した係止アーム２０は、個々の板状の接続コネクタ３，４を操作するために使用されるのに対して、図２ｂに示した係止アーム２０は、組み合わされた２つの接続コネクタ３，４を操作するために使用される。したがって、図２ｂに示した係止アーム２０は２つのばねエレメント２３と２つの支承エレメント２４とを有している。しかし、互いに分離された２つのばねエレメント２３の代わりに、二倍の幅を備えたただ１つのばねエレメントが使用されてもよい。
【００２４】
いま、図３および図４には、本発明による電気的な直列端子１の別の構成が示してある。この場合、図３に示した電気的な直列端子１は、ここではただ１つの接続コネクタ４しか差し被せられていないという点でまず図１に示した電気的な直列端子１と異なっている。しかし、実際の相違点は、固定エレメントが係止アーム２０だけでなく、付加的に引張り負荷軽減エレメント２９も有している点にある。この引張り負荷軽減エレメント２９には、接続コネクタ４に接続された電気的な導体３０がケーブルバインダ３１によって固定されている。電気的な導体３０を引張り負荷軽減エレメント２９に固定することによって、導体接続エレメント１５に接続された線路端部の引張り負荷軽減の他に、電気的な導体３０の位置決めも得られる。引張り負荷軽減エレメント２９は係止アーム２０と同様に支承エレメント３２を有している。この支承エレメント３２は、接続コネクタ４のコネクタケーシング１４に設けられた対応する支承切欠き（図示せず）内に差し込むことができる。さらに、引張り負荷軽減エレメント２９は係止フック３３を有している。この係止フック３３によって引張り負荷軽減エレメント２９は同様に接続コネクタ４のコネクタケーシング１４に固定することができる。引張り負荷軽減エレメント２９の、電気的な導体３０がケーブルバインダ３１によって固定される領域では、ケーブルバインダ３１を位置決めするための２つの凹設部３４が引張り負荷軽減エレメント２９に形成されている。
【００２５】
図３で見ることができるように、引張り負荷軽減エレメント２９は、電気的な導体３０をケーブルバインダ３１によって固定するために使用されるだけでなく、付加的に遮蔽体３５のための固定手段として形成されている。このような形式の遮蔽体３５には、遮蔽された電気的なケーブルのシールド３６を電気的に接触接続して固定することができる。この場合、遮蔽体３５は線路片３７に接続されている。この線路片３７は電気的な直列端子１のアース端子に接続されている。
【図面の簡単な説明】
【図１】接続された２つの接続コネクタを備えた本発明による電気的な直列端子の第１実施例を示す図である。
【図２】接続コネクタを本発明による直列端子のベース端子の端子ケーシングに機械的に固定するための係止アームの２つの構成を示す図である。
【図３】引張り負荷軽減エレメントに結合されている係止アームを備えた本発明による電気的な直列端子の第２実施例を示す図である。
【図４】図３に示した、引張り負荷軽減エレメントに結合された係止アームを示す図である。
【符号の説明】
１  直列端子、  ２  ベース端子、  ３  接続コネクタ、  ４  接続コネクタ、  ５  基部、  ６  係止エレメント、  ７  端子ケーシング、  ８  導体接続エレメント、  ９  導体接続エレメント、  １０  電流バー、  １１  電流バー、  １２  係止ピン、  １３  コネクタケーシング、  １４  コネクタケーシング、  １５  導体接続エレメント、  １６  電流バー、  １７  コネクタピン、１８  コネクタブシュ、  １９  ロック縦孔、  ２０  係止アーム、  ２１  グリップ区分、  ２２  係止フック、  ２３  ばねエレメント、  ２４  支承エレメント、  ２５  支承切欠き、  ２６  端部、  ２７  ケーシング突出部、  ２８  凹設部、  ２９  引張り負荷軽減エレメント、  ３０  導体、  ３１  ケーブルバインダ、  ３２  支承エレメント、  ３３  係止フック、  ３４  凹設部、  ３５  遮蔽体、  ３６  シールド、  ３７  線路片
【図１】
0003990555.tif 000002
【図２】
0003990555.tif 000003
【図３】
0003990555.tif 000004
【図４】
0003990555.tif 000005